(57)【要約】【課題】  使用時間を延長できる燭台を提供する。【解決手段】  外部フレームと伝熱フレームを有し、該外部フレームの中央に収容部が形成され、  前記伝熱フレームは外部フレームの収容部の底部に置き込まれる下部皿と、該下部皿の上部と接触する上部皿とを有し、該上部皿の底部に複数の貫通孔が形成されると共に、中央に中空の伝熱柱が設けられ、この伝熱柱の中央に芯が設けられると共に、上部に複数の挟持爪が設けられることを特徴とする。【選択図】  図２
0003104466.tif 000002
【実用新案登録請求の範囲】
【請求項１】
外部フレームと伝熱フレームを有し、該外部フレームの中央に収容部が形成され、
前記伝熱フレームは外部フレームの収容部の底部に置き込まれる下部皿と、該下部皿の上部と接触する上部皿とを有し、該上部皿の底部に複数の貫通孔が形成されると共に、中央に中空の伝熱柱が設けられ、この伝熱柱の中央に芯が設けられると共に、上部に複数の挟持爪が設けられることを特徴とする燭台。
【請求項２】
前記下部皿の壁が上部皿の外側に延伸することにより、上部皿を下部皿の内部の上部に位置することを特徴とする請求項１に記載の燭台。
【請求項３】
前記上部皿の外側に位置決め凹部が形成されると共に、外部フレームの収容部に該位置決め凹部と対応する位置決めブロックが設けられることを特徴とする請求項１に記載の燭台。
【考案の詳細な説明】
【技術分野】
【０００１】
本考案は、特に使用時間を延長できる燭台に関するものである。
【背景技術】
【０００２】
蝋燭は昔から照明工具として使用されるものであり、電灯が既によく使用され、普及している現在でも、停電する際、蝋燭を使用しなければならない。更に、蝋燭は照明工具として使用されるだけではなく、現在は雰囲気を向上するものとして使用されている。
【０００３】
従来の蝋燭は棒状の本体を有し、中央に燃焼可能の芯が設けられ、この芯が燃える際、周りの蝋燭を液体状に溶けて芯の燃焼に提供し、芯は燃焼し尽くす際、該蝋燭は使用し続けることができない。
【０００４】
前記蝋燭を使用する場合、燭台に置き、該燭台は蝋燭を立たせる効果だけを提供し、該蝋燭を燃焼し尽くした後、使用者は新しい蝋燭を交換しなければならない。又、雰囲気を向上するため使用する燭台は中央に収容部を有し、該収容部に芯を有する蝋燭が設置される。
【考案の開示】
【考案が解決しようとする課題】
【０００５】
しかしながら、上記の燭台を使用する場合、該蝋燭を一回に使用し尽くさないと、今度の使用では、芯が収容部の奥に在るので、芯の点火することが難しく、又、このような燭台における蝋燭を使用し尽くした後、新しい蝋燭を交換することができなく、該燭台を捨てなければならない。
【０００６】
そこで、案出されたのが本考案であって、使用時間を延長できる燭台を提供することを目的としている。
【課題を解決するための手段】
【０００７】
本願の請求項１の考案は、外部フレームと伝熱フレームを有し、該外部フレームの中央に収容部が形成され、
前記伝熱フレームは外部フレームの収容部の底部に置き込まれる下部皿と、該下部皿の上部と接触する上部皿とを有し、該上部皿の底部に複数の貫通孔が形成されると共に、中央に中空の伝熱柱が設けられ、この伝熱柱の中央に芯が設けられると共に、上部に複数の挟持爪が設けられることを特徴とする燭台及び、
本願の請求項２の考案は、前記下部皿の壁が上部皿の外側に延伸することにより、上部皿を下部皿の内部の上部に位置することを特徴とする請求項１に記載の燭台及び、
本願の請求項３の考案は、前記上部皿の外側に位置決め凹部が形成されると共に、外部フレームの収容部に該位置決め凹部と対応する位置決めブロックが設けられることを特徴とする請求項１に記載の燭台、を提供する。
【考案の効果】
【０００８】
本考案は上記の課題を解決するものであり、芯を燃焼する熱は伝熱フレームの上部皿における蝋燭を溶かし該溶けた蝋燭が下部皿に流れ込み、下部皿に延伸する芯はその液体状の蝋燭から燃焼し続ける油を吸収することにより、燭台の使用時間を延長することができる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係る燭台の第一実施例を示す斜視図であり、図２は本考案に係る燭台の第一実施例を示す分解斜視図であり、図３は本考案に係る燭台の第一実施例を示す断面図であり、図４は本考案に係る燭台の第一実施例に蝋燭を置く状態を示す断面図であり、図５は本考案に係る燭台の第一実施例の使用状態を示す断面図であり、図６は本考案に係る燭台の第二実施例を示す分解斜視図であり、図７は本考案に係る燭台の第二実施例を示す断面図であり、図８は本考案に係る燭台の第二実施例に蝋燭を置く状態を示す断面図であり、図９は本考案に係る燭台の第三実施例に蝋燭を置く状態を示す断面図である。
【００１１】
図１乃至図４に示すように、本考案に係る燭台の第一実施例は外部フレーム（１０）と伝熱フレーム（２０）を有し、該外部フレーム（１０）の中央に収容部（１１）が形成され、その素材はガラス、金属又は他の耐熱材、隔熱材である。
【００１２】
前記伝熱フレーム（２０）は外部フレーム（１０）の収容部（１１）の底部に置き込まれる下部皿（２１）と、該下部皿（２１）の上部と接触する上部皿（２２）とを有し、該上部皿（２２）の底部に複数の貫通孔（２２０）が形成されると共に、中央に中空の伝熱柱（２２１）が設けられ、この伝熱柱（２２１）の中央に芯（２３）が設けられる。
【００１３】
本実施例の伝熱柱（２２１）の上部に複数の挟持爪（２２１０）が設けられることにより、芯（２３）を挟持させるように固定すると共に、芯（２３）の炎を微風に影響しない効果を提供する。
【００１４】
又、図５に示すように、芯（２３）を燃焼する際、その熱を伝熱フレーム（２０）に伝熱することで上部皿（２２）における蝋燭が溶けて、該溶けた蝋燭が貫通孔（２２０）を通じて下部皿（２１）に流れ込み、下部皿（２１）に延伸する芯（２３）はその液体状の蝋燭から燃焼し続ける油を吸収する。又、蝋燭を補充する場合、蝋燭（３０）を上部皿（２２）に置き込むだけで、燭台の使用時間を延長することができる。
【００１５】
前記蝋燭は殆ど使用し尽くす蝋燭、破砕して使用できない蝋燭又は中央に貫通孔を有する特性の蝋燭を使用することができ、該蝋燭の成分に精油、芳香剤などの添加剤を使用することができる。
【００１６】
又、図６乃至図８に示すように、本考案に係る燭台の第二実施例は前記第一実施例と殆ど等しく、異なるのは下部皿（２１）の壁が上部皿（２２）の外側に延伸することにより、上部皿（２２）を下部皿（２１）の内部の上部に位置する。
【００１７】
前記伝熱フレーム（２０）の上部皿（２２）と下部皿（２１）は分離できる構造であるので、燭台を使用しない際、下部皿（２１）における凝固した蝋燭を片付けることができるので、非常に便利である。又、上部皿（２２）と下部皿（２１）は一体に形成してもよく、前記と同じように燭台の使用時間を延長することが達成できる。
【００１８】
又、図９に示すように、本考案に係る燭台の第三実施例は前記第一実施例と殆ど等しく、異なるのは上部皿（２２）の外側に位置決め凹部（２２２）が形成されると共に、外部フレーム（１０）の収容部（１１）に該位置決め凹部（２２２）と対応する位置決めブロック（１２）が設けられることにより、外部フレーム（１０）と伝熱フレーム（２０）の結合効果を向上することができる。
【産業上の利用可能性】
【００１９】
本考案は上記の構成を有するので、芯を燃焼する熱は伝熱フレームの上部皿における蝋燭を溶かし該溶けた蝋燭が下部皿に流れ込み、下部皿に延伸する芯はその液体状の蝋燭から燃焼し続ける油を吸収することにより、燭台の使用時間を延長することができる。
【図面の簡単な説明】
【００２０】
【図１】本考案に係る燭台の第一実施例を示す斜視図である。
【図２】本考案に係る燭台の第一実施例を示す分解斜視図である。
【図３】本考案に係る燭台の第一実施例を示す断面図である。
【図４】本考案に係る燭台の第一実施例に蝋燭を置く状態を示す断面図である。
【図５】本考案に係る燭台の第一実施例の使用状態を示す断面図である。
【図６】本考案に係る燭台の第二実施例を示す分解斜視図である。
【図７】本考案に係る燭台の第二実施例を示す断面図である。
【図８】本考案に係る燭台の第二実施例に蝋燭を置く状態を示す断面図である。
【図９】本考案に係る燭台の第三実施例に蝋燭を置く状態を示す断面図である。
【符号の説明】
【００２１】
１０        外部フレーム
１１        収容部
１２        位置決めブロック
２０        伝熱フレーム
２１        下部皿
２２        上部皿
２２０      貫通孔
２２１      伝熱柱
２２１０    挟持爪
２２２      位置決め凹部
２３        芯
３０        蝋燭
【図１】
0003104466.tif 000003
【図２】
0003104466.tif 000004
【図３】
0003104466.tif 000005
【図４】
0003104466.tif 000006
【図５】
0003104466.tif 000007
【図６】
0003104466.tif 000008
【図７】
0003104466.tif 000009
【図８】
0003104466.tif 000010
【図９】
0003104466.tif 000011